【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
被検眼の遠用完全矯正度数、遠用処方矯正度数及び加入度のデータを取得するデータ取得手段と、
グラフィックを表示可能な画面を有する表示手段と、
前記データ取得手段により取得されたデータに基づいて、遠用の単焦点レンズ、近用の単焦点レンズ及び累進レンズにより矯正された被検眼の明視域を求める演算手段と、
被検者を基点として所定の近用距離、所定の遠用距離及び所定の中間距離のそれぞれに目標物を配置した様子を示す第１グラフィックを前記画面上に表示させ、前記演算手段によって得られた明視域を示す第２グラフィックを前記画面上に表示させる表示制御手段と、
を備えることを特徴とする検眼装置。
【請求項２】
請求項１の検眼装置において、前記データ取得手段により取得されるデータには被検眼の調節力のデータが含まれ、
前記演算手段は、レンズによって矯正された被検者眼の遠点と近点に基づいて明視域を求める手段であり、遠用の単焦点レンズにより矯正された被検眼の遠点を遠用完全矯正度数と遠用処方矯正度数の差に基づいて求め、遠用の単焦点レンズにより矯正された被検眼の近点を遠用完全矯正度数と遠用処方矯正度数の差及び調節力に基づいて求め、近用の単焦点レンズにより矯正された被検眼の遠点を遠用完全矯正度数と遠用処方矯正度数の差及び加入度に基づいて求め、近用の単焦点レンズにより矯正された被検眼の近点を遠用完全矯正度数と遠用処方矯正度数の差，加入度及び調節力に基づいて求め、累進レンズにより矯正された被検眼の遠点を遠用完全矯正度数と遠用処方矯正度数の差に基づいて求め、累進レンズにより矯正された被検眼の近点を遠用完全矯正度数と遠用処方矯正度数の差，加入度及び調節力に基づいて求めることを特徴とする検眼装置。
【請求項３】
請求項２の検眼装置において、前記演算手段は、調節力を割合ΔＸだけ使用するものとし、被検眼が疲れない明視域を示すために、各レンズによる明視域の中間点を遠点又は近点と、調節力と、割合ΔＸとに基づいて求めるか、又は、遠用単焦点レンズによる明視域の中間点を遠用完全矯正度数、遠用処方矯正度数、調節力及び割合ΔＸに基づいて求めると共に、近用単焦点レンズ及び累進レンズによる明視域の中間点を加入度の決定時の近業距離に基づいて求め、
前記表示制御手段は、各レンズの前記第２グラフィックの表示において、遠点から中間点までの第１領域と、中間点から近点までの第２領域とを区別可能にするグラフィックをさらに表示することを特徴とする検眼装置。
【請求項４】
請求項１の検眼装置において、遠用完全矯正度数及び遠用処方矯正度数には、それぞれ球面度数及び乱視度数が含まれており、
前記表示制御手段は、遠用完全矯正度数の乱視度数と遠用処方矯正度数の乱視度数との差ΔＣが所定値未満の場合には前記第２グラフィックを第１の表示形態によって表示し、差ΔＣが所定値以上の場合には前記第２グラフィックを明視域の鮮明さが劣ることを示す第２の表示形態によって表示することを特徴とする検眼装置。
【請求項５】
請求項１〜４の何れかの検眼装置は、各レンズを選択する信号を入力する選択手段と、各レンズの視野範囲に関する特性を記憶する記憶手段と、を備え、
前記表示制御手段は、前記選択手段の選択信号に基づいて前記記憶手段から選択されたレンズの視野範囲に関する特性を呼び出し、前記第１グラフィックにおいて、呼び出された視野範囲の特性をイメージさせる二次元的な広がりをも持つグラフィックを前記画面上に表示させることを特徴とする検眼装置。
【手続補正２】
【補正対象書類名】明細書
【補正対象項目名】０００７
【補正方法】変更
【補正の内容】
【０００７】
（１）  被検眼の遠用完全矯正度数、遠用処方矯正度数及び加入度のデータを取得するデータ取得手段と、
グラフィックを表示可能な画面を有する表示手段と、
前記データ取得手段により取得されたデータに基づいて、遠用の単焦点レンズ、近用の単焦点レンズ及び累進レンズにより矯正された被検眼の明視域を求める演算手段と、
被検者を基点として所定の近用距離、所定の遠用距離及び所定の中間距離のそれぞれに目標物を配置した様子を示す第１グラフィックを前記画面上に表示させ、前記演算手段によって得られた明視域を示す第２グラフィックを前記画面上に表示させる表示制御手段と、
を備えることを特徴とする。
（２）  （１）の検眼装置において、前記データ取得手段により取得されるデータには被検眼の調節力のデータが含まれ、
前記演算手段は、レンズによって矯正された被検者眼の遠点と近点に基づいて明視域を求める手段であり、遠用の単焦点レンズにより矯正された被検眼の遠点を遠用完全矯正度数と遠用処方矯正度数の差に基づいて求め、遠用の単焦点レンズにより矯正された被検眼の近点を遠用完全矯正度数と遠用処方矯正度数の差及び調節力に基づいて求め、近用の単焦点レンズにより矯正された被検眼の遠点を遠用完全矯正度数と遠用処方矯正度数の差及び加入度に基づいて求め、近用の単焦点レンズにより矯正された被検眼の近点を遠用完全矯正度数と遠用処方矯正度数の差，加入度及び調節力に基づいて求め、累進レンズにより矯正された被検眼の遠点を遠用完全矯正度数と遠用処方矯正度数の差に基づいて求め、累進レンズにより矯正された被検眼の近点を遠用完全矯正度数と遠用処方矯正度数の差，加入度及び調節力に基づいて求めることを特徴とする。
（３）  （２）の検眼装置において、前記演算手段は、調節力を割合ΔＸだけ使用するものとし、被検眼が疲れない明視域を示すために、各レンズによる明視域の中間点を遠点又は近点と、調節力と、割合ΔＸとに基づいて求めるか、又は、遠用単焦点レンズによる明視域の中間点を遠用完全矯正度数、遠用処方矯正度数、調節力及び割合ΔＸに基づいて求めると共に、近用単焦点レンズ及び累進レンズによる明視域の中間点を加入度の決定時の近業距離に基づいて求め、
前記表示制御手段は、各レンズの前記第２グラフィックの表示において、遠点から中間点までの第１領域と、中間点から近点までの第２領域とを区別可能にするグラフィックをさらに表示することを特徴とする。
（４）  （１）の検眼装置において、遠用完全矯正度数及び遠用処方矯正度数には、それぞれ球面度数及び乱視度数が含まれており、
前記表示制御手段は、遠用完全矯正度数の乱視度数と遠用処方矯正度数の乱視度数との差ΔＣが所定値未満の場合には前記第２グラフィックを第１の表示形態によって表示し、差ΔＣが所定値以上の場合には前記第２グラフィックを明視域の鮮明さが劣ることを示す第２の表示形態によって表示することを特徴とする。
（５）  （１）〜（４）の何れかの検眼装置は、各レンズを選択する信号を入力する選択手段と、各レンズの視野範囲に関する特性を記憶する記憶手段と、を備え、
前記表示制御手段は、前記選択手段の選択信号に基づいて前記記憶手段から選択されたレンズの視野範囲に関する特性を呼び出し、前記第１グラフィックにおいて、呼び出された視野範囲の特性をイメージさせる二次元的な広がりをも持つグラフィックを前記画面上に表示させることを特徴とする。
【手続補正３】
【補正対象書類名】明細書
【補正対象項目名】００１１
【補正方法】変更
【補正の内容】
【００１１】
操作ユニット１は、検眼情報を表示するタッチパネル式のディスプレイ２１と、各種の操作キーを持つ操作パネル部３２とから構成されている。また、ディスプレイ２１は検眼後に明視域を表示する表示手段を兼ねる。操作パネル部３２は、図３（ａ）に示すように、左右の測定眼を個別又は同時に指定するキーを持つ測定眼選択キー群３３、球面度数Ｓ，乱視度数Ｃ，乱視軸角度Ａ，加入度数ＡＤＤ等の調整モードを指定するキーを持つモードキー群３４、他覚値／自覚値／処方値等の入力データを指定するキーを持つ入力データ指定キー群３５、Ｓ，Ｃ，ＡＤＤ等の測定値の変更及び数値入力のときに使用するダイヤルノブ３６、ディスプレイ２１にメニュー画面を表示させるメニューキー３７、予め検査手順が定められた検眼プログラムを実行するときのスタートキー及び送りキーが配置された検眼プログラムキー群３８と、シフトキー３９等を備える。シフトキー３９と他のキーが同時に押されると、他のキーのスイッチ機能が別のものに切り換えられる。
【手続補正４】
【補正対象書類名】明細書
【補正対象項目名】００１２
【補正方法】変更
【補正の内容】
【００１２】
図３（ｂ）は、測定時におけるディスプレイ２１の測定画面の例である。画面中央付近の表示部２１aには、測定ユニット３の検査窓に配置される光学系の測定度数（球面度数Ｓ、乱視度数Ｃ、乱視軸角度Ａ、加入度ＡＤＤが表示される。モードキー群３４が持つスイッチにより調整する度数が指定される。画面右側には、視標選択欄２２が設けられており、選択欄２２の各キーにより視標呈示装置２に表示させる検査視標を選択することができる。また、検査視標は表示部２３に図柄で表示される。図３（ａ）の例では、近用検査時に使用されるクロスグリッド視標が表示されている。
【手続補正５】
【補正対象書類名】明細書
【補正対象項目名】００１３
【補正方法】変更
【補正の内容】
【００１３】
図２は、操作ユニット１の制御ブロック図である。操作パネル部３２からのスイッチ信号及びディスプレイ２１のタッチ機能のスイッチ信号は、制御部２０に入力される。制御部２０はスイッチ信号に基づいてディスプレイ２１の表示を制御し、また、屈折力測定に関する制御信号を測定ユニット３に送信し、検査視標に関する制御信号を視標呈示装置２に送信する。制御部２０には検査データ、明視域表示用のプログラム等を記憶するメモリ２４が接続されている。
【手続補正６】
【補正対象書類名】明細書
【補正対象項目名】００１５
【補正方法】変更
【補正の内容】
【００１５】
まず、図３（ｂ）の測定画面をディスプレイ２１に表示し、操作ユニット１の操作により測定ユニット３の検査窓６に球面レンズ、乱視レンズを切り替え配置し、左右眼それぞれの遠用の完全矯正度数（最高視力が得られるときの最もプラスよりの遠用矯正度数）を決定する検査を行う。片眼の完全矯正度数の決定検査では、乱視検査の前に行うＲ／Ｇ（レッドグリーン）検査により球面度数Ｓを調整し、軸調整検査により乱視軸Ａを調整し、乱視度数調整検査により乱視度数Ｃを矯正する。次に、過矯正を防止して最高視力を得るための第２のＲ／Ｇ検査で再び球面度数Ｓを調整した後、視力確認検査により最高視力が得られる最もプラスよりの球面度数Ｓに調整することにより、片眼の完全矯正度数を決定する。片眼の完全矯正度数が決定したら、同様な検査により、もう片眼の完全矯正度数を決定する。次に、バランス検査視標を呈示し、左右の眼で同じ見え方となる最もプラスよりの度数となるように、両眼のバランスを取った両眼完全矯正度数を決定する。各検査では、ディスプレイ２１に表示される測定画面における選択欄２２の各キーにより、遠用検査視標を視標呈示装置２に表示させる。検眼プログラムを実行しているときは、予めプログラムされた視標が検査手順毎に切り替えて表示される。
【手続補正７】
【補正対象書類名】明細書
【補正対象項目名】００２７
【補正方法】変更
【補正の内容】
【００２７】
また、画面１００の左側の領域１３０には、明視域の距離と視野範囲をイメージしやすくするためのグラフィックが表示される。例えば、被検者の図柄１３２に対して、４０ｃｍ程の近用作業をイメージさせるキーボードを模した図柄１３３と、６０ｃｍ程の近用作業をイメージさせるディスプレイ図柄１３４と、室内での２ｍ程の目標物をイメージさせるテレビモニタ図柄１３５と、遠方をイメージさせる景色等の図柄１３６とが表示される。また、これらの図柄に重ねて各種レンズを通して見たときの明視域の距離及び視野範囲を模式的に示す領域グラフィック１４０が表示される。また、右側領域１０１と左側領域１３０との間には、両者に共通の距離軸１２０が表示され、目安となる距離がプロットされている。
【手続補正８】
【補正対象書類名】明細書
【補正対象項目名】００７４
【補正方法】変更
【補正の内容】
【００７４】
【図１】検眼装置の概略構成図である。
【図２】操作ユニットの制御ブロック図である。
【図３】操作ユニットが備える操作パネル部の説明図と、ディスプレイの測定画面例の図である。
【図４】自覚検査手順のフローチャートの例を説明する図である。
【図５】近点ＮＰ、遠点ＦＰ及び中間点ＭＰの演算式の例を示す図である。明視域を算出するための計算式の一覧表である。
【図６】明視域表示画面の例を示す図である。
【図７】明視域表示画面の例を示す図である。
【図８】明視域表示画面の例を示す図である。
【図９】明視域表示画面の例を示す図である。
【図１０】明視域表示画面の例を示す図である。
【図１１】処方矯正度数のデータ一覧を表示した画面の例を示す図である。
【図１２】パーソナルコンピュータによる構成図である。
【図１３】明視域表示画面の例を示す図である。
【図１４】明視域表示画面の例を示す図である。
【図１５】明視域表示画面の例を示す図である。